【手続補正書】
【提出日】平成16年8月17日(2004.8.17)
【手続補正１】
【補正対象書類名】明細書
【補正対象項目名】全文
【補正方法】変更
【補正の内容】
【書類名】      明細書
【発明の名称】  エレベータの据付方法
【特許請求の範囲】
【請求項１】  昇降路の上方部の機械室内に設けた巻上機によって、上記昇降路内に配置した乗かごをロープを介して昇降駆動するエレベータの据付方法において、上記昇降路の上部に受け部材を設け、上記昇降路内に設置するエレベータ機器を搬入できる大きさの開口部を形成し、上記巻上機を設置した支持部材を吊り上げて上記受け部材の上に搭載すると共に、上記巻上機を包囲して上記機械室を形成する機械室壁部材を上記受け部材の上に搭載したことを特徴とするエレベータの据付方法。
【請求項２】  請求項１記載のエレベータの据付方法において、上記支持部材に上記巻上機と上記機械室壁部材を設置した状態で、これを吊り上げて上記受け部材の上に搭載したことを特徴とするエレベータの据付方法。
【発明の詳細な説明】
【０００１】
【発明の属する技術分野】
本発明は、エレベータの据付方法に関する。
【０００２】
【従来の技術】
一般にロープ式エレベータにおいては、建物内に天井を有する昇降路を形成し、この昇降路内に乗かごとつり合いおもりを設置し、また昇降路の天井を床とした機械室を形成し、この機械室内に巻上機および制御盤等を設置していた。
【０００３】
このようなエレベータの据付方法としては、機械室内に設置する巻上機や制御盤を建物内に搬入してから昇降路内を引き上げて機械室内の所定の位置に据え付けていたが、据付作業の短工期化のニーズから、例えば特開平７−２０６３１４号公報に記載のように、エレベータ機器を予め工場等で組み立て現地に搬入し、タワークレーン等で機械室の天井にあけた搬入口から昇降路および機械室内に搬入し据え付けるといった方法を採用していた。
【０００４】
【発明が解決しようとする課題】
しかし、上述した従来の据付方法では、一体に組み立てることによって大型化したエレベータ機器を機械室の天井に形成した搬入口から昇降路および機械室内に搬入するようにしているため、搬入口とエレベータ機器との干渉を慎重に避けながらタワークレーンを操作する必要があり、製品の養生および搬入作業にかなりの労力と時間を要してしまう。
【０００５】
本発明の目的は、予め工場等で組み立てたエレベータ機器を容易に搬入し据え付けることができるようにしたエレベータの据付方法を提供することにある。
【０００６】
【課題を解決するための手段】
本発明は上記目的を達成するために、昇降路の上方部の機械室内に設けた巻上機によって、上記昇降路内に配置した乗かごをロープを介して昇降駆動するエレベータの据付方法において、上記昇降路の上部に受け部材を設け、上記昇降路内に設置するエレベータ機器を搬入できる大きさの開口部を形成し、上記巻上機を設置した支持部材を吊り上げて上記受け部材の上に搭載すると共に、上記巻上機を包囲して上記機械室を形成する機械室壁部材を上記受け部材の上に搭載したことを特徴とする。
本発明は、昇降路の上部に設けた受け部材上に支持部材を支持し、この支持部材上に少なくとも巻上機もしくはそれを包囲する機械室壁部材を含めて搭載した機械室一体品とし、この強度部材である支持部材を利用して機械室一体品を吊り、それを受け部材上に載置するようにしたため、従来のように機械室に形成した搬入口を通過させる必要がなく、支持部材および機械室壁部材の取り付け前の昇降路の上部の開口部を利用して、予め工場等で組み立てたエレベータ機器を容易に搬入し据え付けることができ、その後、巻上機を支持する強度部材である支持部材を利用して機械室壁部材も支持することができる。
【０００７】
【発明の実施の形態】
以下、本発明の実施の形態を図面に基づいて説明する。
【０００８】
図１は、本発明の一実施の形態が適用されるエレベータの概略構成を示す縦断面図である。
【０００９】
昇降路１の側壁１ａには、その底部からその頂部付近まで延びると共に、ブラケット２およびブラケット３によってそれぞれ固定した乗かご用ガイドレール５およびつり合いおもり用ガイドレール７が設けられ、これらの乗かご用ガイドレール５およびつり合いおもり用ガイドレール７に沿って昇降可能に乗かご４およびつり合いおもり６が配置されている。昇降路１の上部には、対をなす受け部材１８ａ，１８ｂ、例えば昇降路１の出入り口側とその反対側に対をなす梁等によって形成した受け部材１８ａ，１８ｂが設けられており、その天井はなく開放された開口部１７が形成されている。この開口部１７は、昇降路１内に設置するエレベータ機器、例えば乗かご４が搬入できる大きさであり、必要に応じてこの開口部１７は後述するロープ１１の通過部分を除いて他の部分を塞ぐ図示しないカバーを取り付けても良い。
【００１０】
受け部材１８ａ，１８ｂの上部には、各側壁１ａの延長上よりも若干外側に位置するように機械室壁部材３０ａの側壁を位置させて機械室３０が構成されており、昇降路１と機械室３０の水平投影面の寸法差が受け部材１８ａ，１８ｂとなっている。この機械室３０は、少なくとも一対の受け部材１８ａ，１８ｂ間を橋絡するようにマシンビーム等の強度部材である支持部材２０を配置し、この支持部材２０上に巻上機１４およびエレベータ制御盤２１が設置され、それらの周囲が機械室壁部材３０ａで包囲されて構成されている。機械室３０に設置した巻上機１４およびそらせ車２５にはロープ１１が巻回されており、このロープ１１の一端を乗かごに連結し、他端をつり合いおもり６に連結している。従って、巻上機１４の駆動によりロープ１１を介して乗かご４が昇降するようにエレベータが構成されている。
【００１１】
このエレベータは、従来のように昇降路１と共に機械室３０を一体的に形成した建物を造ってからエレベータ機器を設置して行くのではなく、昇降路１の上部に機械室３０を搭載可能なように開口部１７を形成したため、機械室３０を搭載していない状態では昇降路１の上部に十分大きな開口部１７を得ることができ、予め工場等で組み立てたエレベータ機器、例えばある程度組み立てた乗かごや、ガイドレールを容易に搬入し据え付けることができ、しかる後に、昇降路１の開口部１７を塞ぐと共に機械室３０を構成することができる。
【００１２】
次に、本発明の一実施形態に係るエレベータの据付方法を説明する。
【００１３】
まず、図２に示すように予め工場等で支持部材２０上に、巻上機１４、エレベータ制御盤２１、反らせ車２５、機械室壁部材３０ａを搭載しながら組み立てて機械室一体品４６を構成し、この機械室一体品４６を現地に運搬する。その後、図２に示しているように玉掛けワイヤ４０を介してタワークレーン４１等で機械室一体品４６を吊り上げ、昇降路１の上部に形成した受け部材１８ａ，１８ｂ上に支持部材２０上に載せて全体を保持させる。
【００１４】
このように機械室一体品４６を吊り上げて昇降路１の上部に形成した受け部材１８ａ，１８ｂ上に支持部材２０が位置するように搭載して支持するようにしたため、予め工場等で製作した機械室一体品４６の設置と共に、機械室３０を昇降路１の上部に構成することができる。
【００１５】
また、機械室一体品４６を昇降路１の上部に形成した受け部材１８ａ，１８ｂ上に搭載して支持する前の状態では、昇降路１の上部に十分大きな開口部１７が形成されているので、昇降路１内に設置するエレベータ機器を予め工場などで製作しておき、例えば、ある程度組み立てた乗かごや複数本を接続したガイドレールをこの開口部１７から搬入すれば、干渉を避けて容易に搬入および据付作業を行なうことができる。従って、従来のように機械室の天井に搬入孔を形成したり、この比較的狭い搬入口を通過する際に干渉しないように大がかりな養生を施したりする必要がない。
【００１６】
図３は、本発明の実施形態が適用される他のエレベータを示す要部縦断面図である。このエレベータにおける支持部材２０は、機械室３０の機械室壁部材３０ａよりも若干外側に張り出しており、その張り出した部分に複数の吊り上げ用のフック４３を取り付けている点で先のエレベータと相違しているが、その他の機械室一体品４６の構成は同様であり同等物には同一符号を付けている。これらのフック４３に吊り部材４５に固定した玉掛けワイヤ４４の他端を取り付け、吊り部材４５を玉掛けワイヤ４０を介してタワークレーン４１で吊り上げるようにしている。
【００１７】
このとき、玉掛けワイヤ４０で吊り上げるのは支持部材２０であり、支持部材２０はその後も巻上機１４などの構成部材を載置して支持するものであるから、十分な強度を有して製作され、その強度を利用して吊り上げるようにしている。これを可能にするのは、支持部材２０に巻上機１４およびこれを包囲する機械室壁部材３０ａを搭載するようにしたからである。このように支持部材２０を利用して吊り上げることにより、図２に示した場合よりも機械室壁部材３０ａに吊り上げ時の負荷がかからないことから、機械室壁部材３０ａをより軽量な素材で製作することができるようになる。
【００１８】
図４および図５は、本発明の実施形態が適用されるさらに他のエレベータを示す要部縦断面図である。
【００１９】
このエレベータにおける機械室一体品は、図４に示した支持部材２０上に巻上機１４、制御盤２１および反らせ車２５を取り付けた機械室機器一体品４７と、この機械室機器一体品４７を囲む図５に示した機械室壁部材３０ａとを分割して構成している点で先のエレベータと相違しているが、その他の機械室一体品４６の構成は同様であり同等物には同一符号を付けている。
【００２０】
先ず、図４に示すように支持部材２０に取り付けたフック４３に玉掛けワイヤ４０を連結し、タワークレーン４１で予め工場などで製作した機械室機器一体品４７を吊り上げ、昇降路１の上部に設けた受け部材１８ａ，１８ｂ上に支持部材２０が橋絡するように設置する。その後、図５に示すようにタワークレーン４１で機械室機器一体品４７を囲む機械室壁部材３０ａを吊り上げ、機械室機器一体品４７上にかぶせて取り付け、図３の場合と同様に完成させる。
【００２１】
このエレベータにおいても玉掛けワイヤ４０で吊り上げるのは支持部材２０であり、支持部材２０はその後も巻上機１４などの構成部材を載置して支持するものであるから、十分な強度を有して製作され、その強度を利用して吊り上げるようにしている。これを可能にするのは、最終的に支持部材２０に巻上機１４およびこれを包囲する機械室壁部材３０ａを搭載するようにしたからである。このように支持部材２０を利用して吊り上げることにより、図２に示した場合よりも機械室壁部材３０ａに吊り上げ時の負荷がかからないことから、機械室壁部材３０ａをより軽量な素材で製作することができるようになる。
【００２２】
尚、上述した各エレベータでは、支持部材２０上に直接機械室壁部材３０ａを取り付ける構成としたが、別の部材を介して一体としてもよい。例えば、エレベータ設置後に機械室壁部材３０ａの廻りをコンクリート等で仕上げ工事をした場合、エレベータの据付期間は大幅に短縮することができる。また、機械室３０は、機械室壁部材３０ａにより囲まれた空間としているが、組み立て途中において機械室壁部材３０ａがなく、機械室壁部材３０ａを取り付ける部材、例えば柱などの骨組みだけであってもよい。
【００２３】
【発明の効果】
以上説明したように、本発明は、昇降路の上部に設けた受け部材上に支持部材を支持し、この支持部材上に少なくとも巻上機もしくはそれを包囲する機械室壁部材を含めて搭載した機械室一体品とし、この強度部材である支持部材を利用して機械室一体品を吊り、それを受け部材上に載置するようにしたため、従来のように機械室に形成した搬入口を通過させる必要がなく、支持部材および機械室壁部材の取り付け前の昇降路の上部の開口部を利用して予め工場等で組み立てたエレベータ機器を容易に搬入し据え付けることができ、また巻上機を支持する強度部材である支持部材を利用して機械室壁部材も支持することができる。
【図面の簡単な説明】
【図１】
本発明の一実施の形態が適用されるエレベータを示す縦断面図である。
【図２】
本発明の一実施の形態によるエレベータの据付方法を採用した作業途中状態を示すエレベータの縦断面図である。
【図３】
本発明の実施形態が適用される他のエレベータの据付方法を採用した作業途中状態を示すエレベータの縦断面図である。
【図４】
本発明の実施形態が適用されるさらに他のエレベータの据付方法を採用した作業初期状態を示すエレベータの縦断面図である。
【図５】
図４に示したエレベータの作業終期状態を示す縦断面図である。
【符号の説明】
１  昇降路
４  乗かご
６  つり合いおもり
１１  ロープ
１４  巻上機
１８ａ，１８ｂ  受け部材
２０  支持部材
３０  機械室
３０ａ  機械室壁部材